(57)【特許請求の範囲】
【請求項１】
媒質のための、好ましくは少なくとも１つの薬物を含有する流体のためのディスペンサーであって、保存容器と排出口を有し、保存容器と排出口とを連結する媒質通路を有し、媒質を保存容器から排出口へ操作手段の操作の関数として送出する送出装置（２４）を有し、排出される媒質の量を検出するための少なくとも１個のセンサ（４３から４７）を備えた検出装置（４０）を有し、送出装置（２４）がピストン・ポンプ（３２）として構成されており、センサ（４３）が排出される媒質の量を測定するための流量計として構成されており、このようにセンサで構成された流量計が送出装置（２４）と排出口（２３）との間の媒質通路（２２）に配置されており、検出装置（４０）が、データ表示のための表示装置（５１）だけでなく、ディスペンサー（２０）の複数の操作に関して検出された情報を記憶するための記憶装置を有し、
リミット・スイッチ（４４）が設けられていて、ピストン・ポンプの完全な動作行程に対応するピストン・ポンプの上側死点を検出することを特徴とするディスペンサー。
【請求項２】
媒質のための、好ましくは少なくとも１つの薬物を含有する流体のためのディスペンサーであって、保存容器と排出口を有し、保存容器と排出口とを連結する媒質通路を有し、媒質を保存容器から排出口へ操作手段の操作の関数として送出する送出装置（２４）を有し、排出される媒質の量を検出するための少なくとも１個のセンサ（４３から４７）を備えた検出装置（４０）を有し、送出装置（２４）がピストン・ポンプ（３２）として構成されており、センサ（４３）が排出される媒質の量を測定するための流量計として構成されており、このようにセンサで構成された流量計が送出装置（２４）と排出口（２３）との間の媒質通路（２２）に配置されており、検出装置（４０）が、データ表示のための表示装置（５１）だけでなく、ディスペンサー（２０）の複数の操作に関して検出された情報を記憶するための記憶装置を有し、
ピストン・ポンプの排出の行程路を検出するための通路センサ（４７）が設けられていて、上側死点に到達しない場合に、検出装置が、媒質の部分的な排出を記録することを特徴とするディスペンサー。
【請求項３】
流量計（４３）が、誘導流量計または熱流量計または差圧測定法にしたがって動作する流量計であることを特徴とする、請求項１又は２に記載のディスペンサー。
【請求項４】
流量計が、所定の媒質量の、所定の流れ時間の間隔の測定範囲を有することを特徴とする請求項１〜３のいずれか１項に記載のディスペンサー。
【請求項５】
ピストン・ポンプが下側死点から離れたことを追加的に検出する手段が設けられていることを特徴とする請求項１に記載のディスペンサー。
【請求項６】
検出装置が、対応する信号を生成することを特徴とする請求項２に記載のディスペンサー。
【請求項７】
電子検出装置が、ディスペンサー（２０）の毎回の操作の時間値の検出のために設けられていることを特徴とする請求項１〜６のいずれか１項に記載のディスペンサー。
【請求項８】
電子検出装置が、ディスペンサー（２０）の毎回の操作の時間値の検出および記憶のために設けられていることを特徴とする請求項１〜６のいずれか１項に記載のディスペンサー。
【請求項９】
検出装置（４０）により検出されたパラメータの関数として、ディスペンサー（２０）の１回の操作の最大排出量を決定可能であることを特徴とする請求項１〜８のいずれか１項に記載のディスペンサー。
【請求項１０】
検出装置（４０）により検出されたパラメータの関数として、ディスペンサー（２０）の１回の操作の最大排出量を決定および制御可能であることを特徴とする請求項１〜８のいずれか１項に記載のディスペンサー。
【請求項１１】
測定センサ（４５）が、排出口（２３）に近接して配置されていて、測定センサが、熱、光または湿度測定を行っており、得られた測定信号が検出装置により制御のために使用されることを特徴とする請求項１〜１０のいずれか１項に記載のディスペンサー。
【請求項１２】
測定センサが、ディスペンサーの鼻腔アダプタの先端に配置されていることを特徴とする請求項１１に記載のディスペンサー。
【請求項１３】
検出装置（４０）により検出された値の関数として切り換え可能な操作バリヤが設けられていて、媒質の排出を阻止または可能にすることを特徴とする請求項１〜１２のいずれか１項に記載のディスペンサー。
【請求項１４】
少なくとも以前の排出行程における排出量とその間の経過時間との関数として、ディスペンサー（２０）のさらなる操作を阻止することを特徴とする請求項１３に記載のディスペンサー。
【請求項１５】
ディスペンサーが、データ交換装置を有していて、少なくとも検出装置（４０）で検出されたパラメータをディスペンサー外データ処理装置に送信することを可能にしていることを特徴とする請求項１〜１４のいずれか１項に記載のディスペンサー。
【請求項１６】
ガルバーニ電気接点を介してデータを交換するために、ディスペンサーへの接続用に配置された基地局（５０）を有することを特徴とする請求項１５に記載のディスペンサー。
【請求項１７】
遠隔データ転送装置（４２、８０、４２ａ）を介して評価局と通信するために配置された基地局（５０）を有することを特徴とする請求項１５に記載のディスペンサー。
【請求項１８】
双方向通信を介して評価局と通信するために配置された基地局（５０）を有することを特徴とする請求項１５に記載のディスペンサー。
【請求項１９】
センサ（４３から４７）が、電気信号の形態の以下のデータ、すなわち排出量、ピストン・ポンプの行程路、操作時間または期間、温度、明るさ、湿度の少なくとも１つを検出するために配置されており、このデータが処理されて記憶されることを特徴とする請求項１〜１８のいずれか１項に記載のディスペンサー（２０）を用いたデータ検出方法。
【請求項２０】
データが外部のデータ処理装置（５０、８０）にも送信されることを特徴とする請求項１９に記載のデータ検出方法。
【請求項２１】
データ検出の関数としてディスペンサー（１０）の操作が制御されまたは変更されることを特徴とする請求項１９または２０に記載のデータ検出方法。
【請求項２２】
センサ（４３から４７）の測定信号の関数として、次の手段すなわち
所定の投与地点で媒質の投与を結論付けて、
操作バリヤを作動状態または作動しない状態にし、
媒質の排出としてのディスペンサー（２０）の作動を検出装置（４０）により評価すること、
の少なくとも１つが採用されることを特徴とする請求項１９〜２１のいずれか１項に記載の方法。
【請求項２３】
ユーザーに向けて排出されるすなわち投与される量の特性を表すセンサ（４３、４４、４７）のデータのための記憶装置（６４、６４ａ）と、
このデータのためのデータ処理装置（６２）と、
次の構成すなわち
基地局（５０）へのおよび／または基地局（５０）からの処理されたデータのためのデータ送信装置（４２）；
処理されたデータを表示するための表示装置（５１、５７）；
正当な使用者のための識別装置（４６）；
投与地点を検出するための少なくとも１個の測定センサ（４５）；
ディスペンサー（２０）の少なくとも１つの機能を制御するための計量装置（２８）；
基地局（５０）ともう１つの外部の局（８０）との間でデータを送信するための遠隔データ転送装置（４２、４２ａ、５８、８２）；
のうちの少なくとも１つによって特徴付けられる、請求項１〜１８のいずれか１項に記載のディスペンサー（２０）を用いたデータ検出システム。
【発明の詳細な説明】
【０００１】
本発明は、媒質用ディスペンサーに関し、特に流体排出用ディスペンサーに関する。このようなディスペンサーは、少なくとも１つの薬物を含有する流体を明確に規定された用量だけ特に噴霧状に噴射することによって排出するために用いられる。
【０００２】
このような流体の噴霧状の排出は、鼻腔内噴射の態様で行なわれうる。正確に計量された均等な量の媒質が２つの各鼻腔内に排出されることが好ましい。このようにして排出されうる薬物または複合薬物は、たとえばアヘン剤であることもあるが、一般用語においては、その他の作用物質、特に抗頭痛剤および鎮痛剤とも呼ばれる。これらの薬物は、慢性疾患の治療薬および／または連続投与する必要がある治療薬（たとえば糖尿病、循環器病等）に用いられうる。このような排出に対する作用物質の適性は、その作用物質が粘膜、特に鼻粘膜から吸収されうることに依存する。鼻粘膜を介した媒質の取り込みは、急速な吸収と、身体、特に身体の脳部への急速な取り込みとが確実であるため、特に有利である。
【０００３】
このようなディスペンサーは、対応する媒質を保存する保存容器を有する。この保存容器は、媒質通路によってディスペンサーの排出口、たとえば噴射ノズルと連結される。さらにまた、媒質通路内に、媒質を保存容器から排出口へと送る操作可能な送出装置がある。操作または作動手段が操作されると、送出プロセスが行なわれる。送出装置は一般に、ピストン・ポンプにより構成されて、媒質送出量が実質的にピストン・ポンプの動作室の容積に対応するようになっている。
このピストン・ポンプは、特にプランジャ・ポンプである。
【０００４】
この量は、実際に排出される媒質の量を確定する上で必ずしも信頼性があるわけではない。第１に、ある量の残留空気が、特に長期にわたる保管期間の後およびディスペンサーの初回使用前には、ポンプのピストン内に存在し得、その場合はディスペンサーのプライミングが必要になる。プライミングは、流路が媒質によって完全に満たされるまで、数回の排出行程を実行することによって行なわれる。さらにまた、ディスペンサーの操作時に、完全な操作行程が行なわれない場合もありうる。往々にしてポンプは、使用者にディスペンサーの毎回の操作時に完全な操作行程を実行させて、以って送出装置の完全な排出行程が実行されうるように設計されることは周知である。しかし、必ずしも信頼性があるわけではない。
【０００５】
したがって、本発明の目的は、実際に排出される媒質の量を非常に正確に判断することができ、かつその他の排出基準を検出および処理することができるようにディスペンサーをさらに発展させることにある。
【０００６】
本発明にしたがったディスペンサーは、媒質保存容器から排出口へと至る媒質通路を有する。媒質を送出する送出装置は、前記媒質通路内に配置される。媒質保存容器には、好ましくは少なくとも１つの薬物を含有する媒質、特に流体が保存される。この媒質は、作動手段を操作することによって排出される。ディスペンサーは、媒質排出量を表す量を検出する電子検出装置を備える。前記検出装置によって、ディスペンサーの毎回の操作の度毎に実際に排出された媒質の量を検出することができる。
【０００７】
検出装置は、媒質通路内に配置される流量計からなる。この流量計は、好ましくは送出装置と排出口との間に配置される。この流量計を上流に流動障害物として排出口しかない媒質通路部分に配置すると、特に有利である。このことによって確実に、排出口を実際に通過する特定の媒質流量を検出できる。
【０００８】
流量計は、量的な流量測定を行なうものとする。この流量計は、熱または誘導流量計または差圧測定法にしたがって動作する流量計であってもよい。この測定法の測定範囲は、ディスペンサーのポンプの１回の行程で排出される媒質量に適合していなければならない。この量は、２００μｌ未満であり、特に３０〜１５０μｌである。短い時間隔、たとえば５０〜１００ミリ秒以内に行なわれる排出を検出しうるものとする。加えて、排出される媒質は、たとえば過量の場合には健康を損なう作用を及ぼしかねないので、非常に正確に計量されなければならない薬物を含有しているものであることが多いため、高精度の測定が確保されるものとする。
【０００９】
送出装置は、手動操作可能な往復動形ポンプとして設計されうる。少なくとも１個のセンサによって、往復移動するピストンの行程路を少なくとも間接的に表す信号を検出しうる。さらに、ポンプのピストンが上側死点に到達したことを、常閉接点として構成されることが好ましい、たとえば開閉スイッチであるリミット・スイッチによって検出することができる。これに代わる方法として、または追加として、ポンプが下側死点を離れたことを検出するまた他のリミット・スイッチを設けてもよい。
【００１０】
この上側死点を検出するリミット・センサによって、操作手段が完全に操作されて、以ってポンプが完全な動作行程を行なったか否かを確定することができる。この方策は、流量計の均衡化または調節と較正とに用いられうる。ピストンが完全な行程を行なった場合、流量計によって検出される流量は、ピストン行程の容積に対応していなければならない。たとえば、追加的に下側死点を検出すると、排出が１回の完全な動作行程において行なわれたか否かを確定することができる。特に、これは、流量計の検出信号の均衡化または調節を目的として用いられうる。特に、時間ずれおよび同様の特性と測定センサの測定信号の確率分散が部分的に補償されうる。また、通路または押しのけ量センサによって、ポンプのピストンの移動範囲を検出することもできる。この行程路に対応する押しのけ量に基づいて、その後、媒質排出量を判断することができる。このことは、特に圧縮不能であるかまたは圧縮不能と見なされうる流体状媒質に当てはまる。通路測定により間接的に行なわれる排出量測定は、流量計による流量測定に対する追加または代案として行なわれうる。両方の測定方法を用いる場合も同様に２つの測定結果の均衡化が可能になり、測定結果の質と精度とを高めることができる。
【００１１】
媒質排出量の検出以外に、前記検出装置においてディスペンサーの操作時間を検出することも可能である。特に、最後にディスペンサーが操作された時点からの時間を検出することができる。また、前回操作時刻または前回操作日時を検出することもできる。この検出は、以前の操作の記録となりうる一方で、排出可能な量の媒質を以前の操作の関数として排出することも可能になる。たとえば、１回の操作において、ある一定期間およびその期間以降の排出量が特定の所定値を超えないことが保証される媒質量のみを排出させることができる。これは、たとえば媒質が嗜癖を生じさせる薬物または過量の場合に致死性を有する薬物を含む場合およびある一定期間およびその期間以降にある一定の投与量を超えてはならない場合に適切でありうる。少なくともディスペンサーの排出動作の記録がある場合には、こうした情報をディスペンサー内、特に検出装置に近接する位置において前記情報のポーリングおよび／または読出しが可能になるように保存することが好ましい。次回のディスペンサー操作時の排出量が、以前のディスペンサー操作および任意でそれ以降の経過期間に基づいて行なわれる場合は、ディスペンサーに近接して、ポンプの最大行程を制限する調整装置が設けられる。
【００１２】
排出口に近接して、測定センサ、たとえば温度センサを設けることができる。
このセンサは、特にディスペンサーの排出口が形成される鼻腔アダプタ（卵形部）の先端に直接近接して配置される。このセンサによって、ディスペンサー操作がすでに行なわれたかまたはこれから行なわれるのか、およびディスペンサーが意図される投与地点、たとえば鼻翼に近接する位置に配置されているか否かを検出することができる。この方策を利用して、たとえばディスペンサーの不測または偶然の操作および使用がディスペンサーの検出操作回数に含まれないようにすることができる。特に、前記センサは、温度や大気湿度、明るさ等の環境値または特性を検出し、かつ測定時に大きな時間的遅延が起こらないように構成されうる。したがって、温度センサは、周囲の温度変化を迅速に検出可能にするためには、たとえば熱容量が大きいものに近接して配置されるべきではない。このセンサの測定信号の関数として、結果的に、媒質の投与が意図される投与地点、たとえば鼻において行なわれるか否かが結論付けられうる。また、意図される投与地点において投与が行なわれないことが確定される場合、または意図される投与地点において投与が行なわれたと結論付けられうる場合にのみ投与可能とする場合は、操作バリヤを作動させることができる。これに代わる方法として、または追加として、こうした排出のみを検出装置の検出対象とすることができ、このことを、これらの排出が意図される投与地点において行なわれたと結論付けうる根拠とすることができる。測定センサは、特に温度センサであってもよい。しかし、対応する信号は、光センサ技術または環境空気の組成（大気湿度、ＣＯ２含有量）の測定によっても検出されうる。
【００１３】
このセンサによって、媒質の投与がどの地点で行なわれたかを検出しうるだけでなく、媒質または媒質保存容器部分の温度の経時的パターンを確定することもできる。特に、温度に敏感な薬剤の場合には、たとえば、温度の影響の結果として保存期間中に変質して、もはや使用に適さなくなった媒質はそれ以降は排出されないことが保証されうる。
【００１４】
排出量調調整装置に加えて、または該装置に代わるものとして、ディスペンサーに切り換え可能な操作バリヤを設けることもできる。この操作バリヤは、特にある時間隔内においてディスペンサーがさらに操作されることを防ぎうる。この時間隔は、検出装置において検出可能な量または値、たとえば検出排出量の関数として判断されうる。
【００１５】
さらにまた検出装置に加えてデータ交換装置を設けることができる。検出装置とデータ交換装置とは、単一の構成要素、たとえば単一の電子チップに集積されうる。データ交換装置は、たとえば検出装置において検出された信号またはデータを外部データ処理装置に、特に非接触的態様で送信するのに適する。双方向データ送信が行なわれうる。たとえば、赤外線によるかまたはトランスポンダ等を介したデータ送信を用いることができる。無線設備によるデータ送信も可能である。データ送信により、局地的または非局地的無線通信網内において、遠隔診断、遠隔監視および／または遠隔治療も可能になる。また、双方向データ送信が行なわれる場合は、外部からディスペンサーに呼びかけ信号を送ることができ、検出データのポーリングを行なうことができる。操作状態またはパラメータ（操作バリヤの作動時間、操作バリヤの上方移動または作動、排出行程容積等）を、たとえば医師の処方にしたがって、外部から調節または変更することもできる。外部データ処理装置は、基地局と評価局とを含みうる。基地局は、ディスペンサー使用者の近くに配置され得、保存、電源、記憶および表示の各機能部の他に、治療結果の評価と、それが必要な場合には治療の変更とのために、医師のパーソナル・コンピュータまたは施設に遠隔データ送信を行なうことができる遠隔データ送信モジュール、たとえばＧＳＭモデムを含みうる。
【００１６】
操作手段には、使用者の識別と本人確認とを行なうことができるセンサ装置が設けられうる。不変の内生的特徴、たとえば指紋および眼底による使用者の本人確認だけでなく、ＰＩＮ符号を適切な入力インターフェースに入力することが、毎回の操作の度毎にディスペンサーの使用の正当性確認に適している。これにより、特に、たとえばアヘン剤およびその他の嗜癖を生じる薬剤の場合等、薬物が非常に綿密な観察と厳格な処方規則との対象となっている場合に、使用者を監視することができる。
【００１７】
前記およびその他の特徴は、特許請求の範囲、発明の詳細な説明および図面から理解され得、これらの個々の特徴は、単独および半組合せ形態のいずれにおいても、本発明の実施例およびその他の分野において実施されうるとともに、ここに保護が請求される有利かつ独立保護可能な構造を表しうる。
【００１８】
以下に、図面に示されている好適な実施例に関して、本発明をより詳細に説明する。
【００１９】
図１に、治療を受けている患者の鼻に投与される媒質の排出に適したディスペンサーが示されている。少なくとも１つの薬物または複合薬物を含有する媒質１１は、ディスペンサー２０の保存容器２１内において保存される。この保存容器２１は、ディスペンサー２０の内部に維持される。媒質通路２２は、保存容器２１から、前記保存容器からの排出を生じさせる送出装置２４を経て、ディスペンサーの排出口２３に至る。ディスペンサーの排出口２３は、治療対象の患者の鼻腔に近接する位置においてディスペンサーを適用するのに用いられる鼻腔挿入用卵形部２５の先端に配置される。この排出口２３は、媒質１１を噴霧状に排出しうる噴射ノズルである。媒質通路２２には、媒質を保存容器２１から排出口２３に送る媒質送出装置２４が内蔵される。この送出装置２４は、手動操作可能な単行程プランジャまたは往復動形ポンプである。この装置は、媒質排出量を正確に計量することができる。ディスペンサー２０は、毎回の操作時に排出行程を行なわせる操作手段２６によって操作される。この操作手段２６は、操作起動装置として構成される。
【００２０】
評価装置４１とデータ送信装置４２とからなる検出装置４０が設けられる。データ送信装置４２は、評価装置４１と外部データ処理局との間においてデータを相互に送信することができる。データは、記録データと、たとえば外部データ処理局により評価装置４１に送信されて、ディスペンサーからの排出を所定の個別調節可能な投与量の詳細の関数として左右するプログラム可能な詳細との両方であってもよい。
【００２１】
媒質の排出量を検出するために、検出装置４０は、流量計４３と通路センサ４７とを有する。この通路センサ４７は、操作手段２６の操作通路を検出し、以って前記操作手段に結合されるポンプ２４の行程を検出する。この行程は、媒質排出量の尺度としての役割を果たす。たとえば差圧計または誘導または熱流量計として構成されうる流量計４３は、通路センサ４７によって測定される排出量の間接的な尺度に対して、媒質排出量の直接的な尺度となる。このため、流量計４３は、特に媒質通路２２内において、排出口２３にできるだけ接近し、かつ漏出およびその他の撹乱の可能性が最小限である部分に配置される。
【００２２】
温度センサ４５は、測定センサとして、排出口２３に直接近接する位置において鼻腔挿入用卵形部２５の先端の近くに設けられる。この温度センサ４５は、環境における温度変化を非常に迅速に検出しうるように、該センサとディスペンサー２０の外部環境との間において最小限の熱容量が形成されるように配置される。このようにすると、呼気の気流によって温度が相対的に正確に人間の体温（３７〜４２℃）まで上昇するため、鼻腔挿入用卵形部が患者の鼻に近接して配置されているか否かを確定することができる。また、温度センサ４５によって、輸送時および保存時の温度が媒質に適した温度範囲内に維持されていたか否かを検出することもできる。このために、温度感受性と温度にさらされる時間とを考慮して、温度データが記録されうる。前記記録データは、媒質が内蔵されているディスペンサーを顧客に配達する前にデータ送信装置４２によって読み出され得、かつ確認されうる。このため、特に寿命が非常に制限され、かつ温度依存性が高い薬剤の場合に、媒質の品質が依然として完全に適当か否かを管理することができる。データ送信装置から固定局へのデータ送信は、たとえば相応の赤外線インターフェースまたはトランスポンダによって行なわれうるだけでなく、ガルヴァーニ電気接点、たとえば電線接続によっても行なわれうる。
【００２３】
さらにまた、リミット・スイッチ４４の信号を評価装置４１に供給することができ、それによって送出装置２４の完全な排出行程が行なわれたか否かが確定される。この可能性を利用して、検出装置４０の評価装置４１において流量計４３または通路センサ４７の評価信号との比較を行なうことができる。前記センサ信号の均衡化によって、たとえば前記センサを較正することができる。ポンプの計量精度から、流量計によって測定された媒質量の体積が、完全な排出行程で対応するシリンダ内において押しのけられたピストン行程容積に対応するか否かを結論付けることができる。このためには、測定差が非常に厳密に制限されていなければならない。さもなければ欠陥があると見なされて特別な点検が必要になるからである。その場合には、たとえば相応の光学的および／または聴覚的警報メッセージが発せられうる。また、評価装置４１は、誰がディスペンサー２０を使用しているかを検出することもできる。これは、たとえば操作手段２６上における使用者の指紋を検出する指紋センサ４６によって行なわれうる。その他のセンサ、たとえば排出口の近くに配置されており、たとえば眼底を検出するのに適したセンサを用いることも考えられうる。後者のセンサは、特にディスペンサーが患者の目に近接する位置において適用される場合に用いられうる。特定の人物のみにディスペンサーを使用させることができる。
【００２４】
媒質排出量の評価において評価装置が操作時間も検出する限り、量および時間に依存する態様でディスペンサーの操作を制限または阻止することができる。このために、図示された実施例においては、計量装置２８が用いられる。この計量装置２８により、操作手段の操作通路によって固定される、送出装置２４の最大可能行程路を制限することができる。この制限は、一方の極限状態では、操作バリヤの作動が達成されて、媒質の排出が不可能になる一方で、他方の極限では、完全なピストン行程が行なわれて、１回以上のピストン行程での排出が可能になるようなものであってもよい。これにより、一方では操作バリヤを得て薬剤の過量投与を防ぐことができる。この操作バリヤは、米国特許出願第０９／７８０２８７号に対応する欧州特許第１１２５６３７Ａ号に説明されているように構成され得、前記特許は、参照により本明細書に取り入れられる。他方では、たとえば移動平均をとることにより、排出可能な媒質量が、特定の最大濃度を超えないように判断されうる。また、最大濃度を超えないことを保証するために、たとえば体内における推定分解速度の関数として、その後の少量の媒質の投与を可能にすることができる。これにより、患者の体内において、かつ長期的にも、頻繁に薬剤を投与しても若干の濃度変動しか引き起こされなくなる一方で、同時に過量投与が防がれることを保証することができる。
【００２５】
移動平均をとること以外にも、その他の方法を用いて次回の排出行程において排出されうる最大排出量を判断しうることは言うまでもない。したがって、たとえば特定の期間にわたってさらなる排出を阻止し、その後、また他の特定の期間にわたって最大排出可能量を連続的に増加させて、最終的に１回以上の完全な操作行程を実行可能にすることができる。
【００２６】
図２に、基地局５０から手で取り出されうるディスペンサー２０が示されている。この基地局５０は、ディスペンサー２０の保管場所としての役割を果たす。
ディスペンサーは、データが表示されうる液晶表示欄の形態をとる表示装置５１を備える。ディスペンサー２０は、使用者が操作面５３に圧力を加えることによってディスペンサーを手動操作する間、使用者の２本の指の間において保持されうる、横方向に突出するショルダ部５２を有する。操作面５３は、正当な使用者の指紋を識別することによって作用する識別装置のセンサ４６を含む（図１参照）。このセンサ４６は、図２に示されるように、ディスペンサーの側壁において別個の部分に設けられてもよい。
【００２７】
保管のために基地局の対応する凹部５５内に挿入されうる、ディスペンサーの作動部５４には、ディスペンサーから基地局にデータを転送する接続または接触面５６が設けられる。このデータ転送は、光結合器、ガルバーニ電気接点、誘導赤外線転送またはトランスポンダによって達成されうる。
【００２８】
基地局５０は、自身上にデータを表示しうる表示装置５７、たとえばＬＣＤ画面を内蔵する。遠隔データ転送用アンテナ５８は、基地局から突出する。
【００２９】
図３は、本発明にしたがったデータ収集システムを示すブロック線図である。
ディスペンサー２０は、基地局５０を介して再充電されうる電池または蓄電池により構成される電源６１を内蔵する。この部分は、ディスペンサーのその他の部分から分離されて、媒質の充填の度毎または少なくとも使用者毎に交換されなければならない、ディスペンサーの「使い捨て部分」６０内に設けられうる。前記使い捨て部分には、媒質および／または使用者と接触し得、したがって交換されなければならないセンサの部分も内蔵される。これは、温度センサ４５、通路センサ４７および制限センサ４４と流量センサ４３とであってもよい。これらのセンサは、自身の測定信号をディスペンサーの再利用可能部分６３内に配置されるマイクロコントローラまたはマイクロコンピュータ６２に送る。電子チップであるマイクロコントローラは、電子記憶装置６４に接続される。このマイクロコントローラは、センサからのデータのポーリングを制御するとともに、データ収集および評価機能と、表示、識別、サーボ機能およびデータ転送を含む、ディスペンサーの機械的機能を制御する。図３に、表示装置５１（図２も参照）と、識別センサ４６と、音響信号発生装置、たとえばビープ音発生装置またはブザー６５と、サーボ装置２８とが示されている。このサーボ装置２８は、図１を参照してすでに説明されたように、排出行程の阻止または排出行程長の変更に用いられうる。
【００３０】
接点５６は、ディスペンサーから基地局５０へのデータ出力および転送を表す記号で示されている。基地局は、さらにまたマイクロコントローラまたはマイクロコンピュータ６２と一緒に、対応する電源等（図示せず）を内蔵する。このマイクロコントローラは、基地局５０の次の装置および特徴を制御する：携帯／自動車電話網へのデータ送信接続を行なうＧＳＭモデム等の遠隔データ送信装置４２、表示装置５７、電源６１ａ（電池または主電源式）、音響信号発生装置６５ａおよび記憶装置６４ａ。
【００３１】
基地局は、より広範囲に１個以上のディスペンサーからのデータを評価および処理するとともに、ディスペンサーのマイクロコンピュータに、一般的なプログラム命令であってもよい命令またはたとえばサーボ装置２８に対して着信データの結果としてマイクロコンピュータが発する命令を転送しうる。
【００３２】
基地局は、さらにまた、ディスペンサー内において創出され、かつ該ディスペンサー内または基地局内において処理されたデータを遠隔データ転送装置４２を介して外部の評価局８０に転送する機能を果たす。この評価局８０からもデータが基地局および／またはディスペンサーに転送されうる。これは、図３に示されるように、データ転送能力を有する２個の携帯／自動車電話８２を使用し、かつ評価局８０内においてパーソナル・コンピュータ８１に接続されうるまた他のＧＳＭモデム４２ａを使用することによって行なわれうる。このパソコンは、データを自動的に処理および評価するか、または医師または相応の操作員により操作されて、対応するデータを基地局を介してディスペンサーに送り返して、自動的に該ディスペンサーを制御およびプログラムして患者の理想的な治療を達成しうる。
【図面の簡単な説明】
【図１】  ディスペンサーの部分断面線図である。
【図２】  ディスペンサーと対応する基地局との斜視図である。
【図３】  センサを有するディスペンサーと基地局と評価局との協働を説明するためのブロック図である。
【符号の説明】
１１  媒質
２０  ディスペンサー
２１  保存容器
２２  媒質通路
２３  排出口
２４  送出装置
２５  鼻腔挿入用卵形部
２６  操作手段
２８  計量装置
４０  検出装置
４１  評価装置
４２  データ送信装置
４３  流量計
４４  リミット・スイッチ
４５  温度センサ
４６  指紋センサ
４７  通路センサ
５０  基地局
５３  操作面
５４  作動部
５５  凹部
５６  接続、接触面
５７  表示装置
５８  遠隔データ転送用アンテナ
６０  使い捨て部分
６１、６１ａ  電源
６２  マイクロコンピュータ
６３  再利用可能部分
６４、６４ａ  電子記憶装置
６５、６５ａ  ブザー
８０  評価局
８１  パーソナル・コンピュータ
８２  携帯／自動車電話
【図１】
0004383030.tif 000002
【図２】
0004383030.tif 000003
【図３】
0004383030.tif 000004